(57)【特許請求の範囲】
【請求項１】
ブロードキャストチャンネルを選択手段において選択することと、
ブロードキャストチャンネルの前記選択に続くある期間にブロードキャストチャンネルが選択されたままであることを確認手段によって確認することと、
前記期間の終わりに応答してアクセスネットワークに対して前記ブロードキャストチャンネルを登録手段によって登録することと
を含む、ブロードキャスト通信システムにおける登録の方法。
【請求項２】
同調手段によって周波数を同調させて前記アクセスネットワークから前記ブロードキャストチャンネルを受信することをさらに含む、請求項1の方法。
【請求項３】
前記同調された周波数で前記アクセスネットワークからページを受信手段によって受信することをさらに含む、請求項2の方法。
【請求項４】
前記ブロードキャストチャンネルの前記登録が、前記アクセスネットワークにおいて前記ブロードキャストチャンネルに関連するデータを記憶することと、前記記憶されたデータから、前記ページのための前記同調された周波数を決定手段によって決定することとを含む、請求項3の方法。
【請求項５】
前記ブロードキャストチャンネルが、第2の期間の終わりに選択されたままでないことを確認手段によって確認することと、前記第2の期間の終わりに応答して記憶装置から前記データを除去することとをさらに含む、請求項4の方法。
【請求項６】
前記ブロードキャストチャンネルが、前記ブロードキャストチャンネルの前記登録に続く第2の期間に選択されたままであることを確認手段によって確認することと、前記第2の期間の終わりに応答して前記アクセスネットワークに対して前記ブロードキャストチャンネルを再登録することとをさらに含む、請求項1の方法。
【請求項７】
前記ブロードキャストチャンネルを受信するために第1の周波数に同調手段によって同調させることと、それの登録に続く第2の期間に前記ブロードキャストチャンネルを非選択手段によって非選択にすることと、第2のブロードキャストチャンネルを選択手段によって選択することと、前記第2のブロードキャストチャンネルを受信するために第2の周波数に同調手段によって同調させることとをさらに含む、請求項1の方法。
【請求項８】
前記第2の期間が終わる前に前記第1と第2の周波数の両方で前記アクセスネットワークからページを受信手段によって受信することをさらに含む、請求項7の方法。
【請求項９】
前記第2の期間が終わった後に前記第2の周波数で前記アクセスネットワークからページを受信手段によって受信することをさらに含む、請求項7の方法。
【請求項１０】
前記ブロードキャストチャンネルの前記登録に続く第2の期間に前記ブロードキャストチャンネルを非選択手段によって非選択にすることと、前記第2の期間に前記ブロードキャストチャンネルを再選択手段によって再選択することと、前記ブロードキャストチャンネルの前記再選択に続く第3の期間の終わりに応答して前記アクセスネットワークに対して前記ブロードキャストチャンネルを再登録手段によって再登録することとをさらに含む、請求項1の方法。
【請求項１１】
第1のブロードキャストチャンネルを選択することと、
前記第1のブロードキャストチャンネル選択に応答して第1の期間を確立することと、
前記第1の期間の終わりの前に前記第1のブロードキャストチャンネルを非選択にすることにより、前記第1のブロードキャストチャンネルがアクセスネットワークに対して登録されることを防止することと、
第2のブロードキャストチャンネルを選択することと、
前記第2のブロードキャストチャンネルが、前記第2のブロードキャストチャンネルの前記選択に続く第2の期間に選択されたままであることを確認することと、
第2の期間の終わりに前記アクセスネットワークに対して前記第2のブロードキャストチャンネルを登録することと
を含む、ブロードキャスト通信システムにおける登録の方法。
【請求項１２】
前記アクセスネットワークから前記第2のブロードキャストチャンネルを受信するために周波数を同調させることをさらに含む、請求項11の方法。
【請求項１３】
前記同調された周波数で前記アクセスネットワークからページを受信することをさらに含む、請求項12の方法。
【請求項１４】
前記第2のブロードキャストチャンネルの前記登録が、前記アクセスネットワークにおける前記第2のブロードキャストチャンネルに関連するデータを記憶することと、前記記憶されたデータから、前記ページのための前記同調された周波数を決定することとを含む、請求項13の方法。
【請求項１５】
前記第2のブロードキャストチャンネルが、前記第2のブロードキャストチャンネルの前記登録に続く第3の期間に選択されたままであることを確認することと、前記第3の期間の終わりに応答して前記アクセスネットワークに対して前記第2のブロードキャストチャンネルを再登録することとをさらに含む、請求項14の方法。
【請求項１６】
前記第2のブロードキャストチャンネルが、前記第3の期間の終わりに選択されたままでないことを確認することと、前記第3の期間の終わりに応答して記憶装置から前記データを除去することとを含む、請求項14の方法。
【請求項１７】
前記第2のブロードキャストチャンネルを受信するために第1の周波数に同調させることと、それの登録に続く第3の期間に前記第2のブロードキャストチャンネルを非選択にすることと、第3のブロードキャストチャンネルを選択することと、前記第3のブロードキャストチャンネルを受信するために第2の周波数に同調させることとをさらに含む、請求項11の方法。
【請求項１８】
前記第3の期間が終わる前に前記アクセスネットワークからの前記第1と第2の周波数の両方で前記アクセスネットワークからページを受信することをさらに含む、請求項17の方法。
【請求項１９】
前記第3の期間が終わった後に前記アクセスネットワークからの前記第2の周波数で前記アクセスネットワークからページを受信することをさらに含む、請求項17の方法。
【請求項２０】
前記第2のブロードキャストチャンネルの前記登録に続く第3の期間に前記第2のブロードキャストチャンネルを非選択にすることと、前記第3の期間に前記第2のブロードキャストチャンネルを再選択することと、前記ブロードキャストチャンネルの前記再選択に続く第4の期間の終わりに応答して前記アクセスネットワークに対して前記第2のブロードキャストチャンネルを再登録することとをさらに含む、請求項11の方法。
【請求項２１】
前記第2のブロードキャストチャンネルの登録が、前記アクセスネットワークに登録要求を送ることを含み、前記登録要求が、前記第2のブロードキャストチャンネルを識別する情報を含む、請求項11の方法。
【請求項２２】
前記登録要求が、前記第1のブロードキャストチャンネルを識別する情報をさらに含む、請求項21の方法。
【請求項２３】
入力装置と、
前記入力装置からのブロードキャストチャンネル選択に応答するタイマを有するプロセッサであって、前記入力装置からの第2のブロードキャストチャンネル選択を受信する前に前記タイマが期間満了になるならば、前記ブロードキャストチャンネルを登録せよという要求を発生させるように構成されているプロセッサと、
アクセスネットワークに前記要求を送信するように構成されているアナログのフロントエンドと
を含む、ブロードキャスト通信システムにおける登録のための装置。
【請求項２４】
前記アナログのフロントエンドがチューナをさらに含み、  前記プロセッサが前記入力装置からの前記ブロードキャストチャンネル選択に応答して前記チューナをある周波数に設定するようにさらに構成されている、請求項23の装置。
【請求項２５】
前記チューナが前記周波数に設定されるとき、前記チューナは前記アクセスネットワークから前記プロセッサへページを結合するようにさらに構成されている、請求項24の装置。
【請求項２６】
前記プロセッサが前記タイマの期間満了に応答する第2のタイマをさらに含み、前記プロセッサは、前記入力装置からの第2のブロードキャストチャンネル選択を受信する前に前記第2のタイマが期間満了になるならば、前記ブロードキャストチャンネルを登録せよという第2の要求を発生させるようにさらに構成され、前記アナログのフロントエンドは前記アクセスネットワークへ前記第2の要求を送信するようにさらに構成されている、請求項23の装置。
【請求項２７】
前記タイマが、前記第2のタイマが期間満了になる前に、前記入力装置からの第2のチャンネル選択にさらに応答し、前記プロセッサは、前記入力装置からの第3のブロードキャストチャンネル選択を受信する前に、前記タイマが前記第2のチャンネル選択に応答して期間満了になるならば、前記第2のブロードキャストチャンネルを登録せよという要求を発生させるようにさらに構成され、前記アナログのフロントエンドは前記第2のブロードキャストチャンネルを登録せよという前記要求を前記アクセスネットワークへ送信するようにさらに構成されている、請求項26の装置。
【請求項２８】
前記タイマが、前記入力装置からの前記ブロードキャストチャンネルの再選択にさらに応答し、前記プロセッサは、前記入力装置からの第3のブロードキャストチャンネル選択を受信する前に前記タイマが期間満了になるならば、前記ブロードキャストチャンネルを登録せよという第2の要求を発生させるようにさらに構成され、前記アナログのフロントエンドは、前記第2の要求を前記アクセスネットワークへ送信するようにさらに構成されている、請求項27の装置。
【請求項２９】
前記プロセッサにより発生された前記登録要求が、前の登録要求に続いて、前記入力装置により選択された前記ブロードキャストチャンネルの各々に関連する情報を含む、請求項23の装置。
【請求項３０】
ブロードキャスト通信システムにおける登録の方法を実行するためにコンピュータプログラムにより実行可能な指示のプログラムを具体化するコンピュータ読み込み可能な媒体であって、前記方法が、
ブロードキャストチャンネル選択を受信することと、
前記ブロードキャストチャンネルが、前記ブロードキャストチャンネルの選択に続くある期間に選択されたままであることを確認することと、
前記期間の終わりに応答してアクセスネットワークに対して前記ブロードキャストチャンネルを登録せよという要求を発生させることと
を含む、コンピュータ読み込み可能な媒体。
【請求項３１】
前記方法が、前記アクセスネットワークから前記ブロードキャストチャンネルを受信するためにある周波数に同調させることをさらに含む、請求項30のコンピュータ読み込み可能な媒体。
【請求項３２】
前記方法が、前記同調された周波数で前記アクセスネットワークからページを受信することをさらに含む、請求項31のコンピュータ読み込み可能な媒体。
【請求項３３】
前記方法が、前記ブロードキャストチャンネルが前記登録要求の発生に続く第2の期間に選択されたままであることを確認することと、前記第2の期間の終わりに応答して前記アクセスネットワークに対して前記ブロードキャストチャンネルを登録せよという第2の要求を発生させることとをさらに含む、請求項30のコンピュータ読み込み可能な媒体。
【請求項３４】
前記方法が、前記ブロードキャストチャンネルを受信するために第1の周波数に同調させることと、前記登録要求の発生に続く第2の期間にブロードキャストチャネンル非選択を受信することと、第2のブロードキャストチャンネル選択を受信することと、前記第2のブロードキャストチャンネルを受信するために第2の周波数に同調させることとをさらに含む、請求項30のコンピュータ読み込み可能な媒体。
【請求項３５】
前記方法が、前記第2の期間が終わる前に前記第1と第2の周波数の両方で前記アクセスネットワークからページを受信することをさらに含む、請求項34のコンピュータ読み込み可能な媒体。
【請求項３６】
前記方法が、前記第2の期間が終わった後に前記第2の周波数で前記アクセスネットワークからページを受信することをさらに含む、請求項34のコンピュータ読み込み可能な媒体。
【請求項３７】
前記方法が、前記ブロードキャストチャンネルの登録要求に続く第2の期間にブロードキャストチャンネル非選択を受信することと、前記第2の期間にブロードキャストチャンネル再選択を受信することと、前記ブロードキャストチャンネルの前記再選択に続く第3の期間の終わりに応答して前記アクセスネットワークに対して前記ブロードキャストチャンネルを登録せよという第2の要求を発生することとをさらに含む、請求項30のコンピュータ読み込み可能な媒体。
【請求項３８】
ブロードキャスト通信システムにおける登録の方法を実行するためにコンピュータプログラムにより実行可能な指示のプログラムを具体化するコンピュータ読み込み可能な媒体であって、前記方法が、
第1のブロードキャストチャンネル選択を受信することと、
前記第1のブロードキャストチャンネル選択に応答して第1の期間を確立することと、
前記第1の期間の終わりの前に、第1のブロードキャストチャンネル非選択に応答してアクセスネットワークに対して前記第1のブロードキャストチャンネルを登録せよという要求の発生を防止することと、
第2のブロードキャストチャンネル選択を受信することと、
前記第2のブロードキャストチャンネルが前記第2のブロードキャストチャンネルの選択に続く第2の期間に選択されたままであることを確認することと、
前記第2の期間の終わりに前記アクセスネットワークに対して前記第2のブロードキャストチャンネルを登録せよという要求を発生させること
を含むコンピュータ読み込み可能な媒体。
【請求項３９】
前記方法が、前記アクセスネットワークから前記第2のブロードキャストチャンネルを受信するためにある周波数に同調させることをさらに含む、請求項38のコンピュータ読み込み可能な媒体。
【請求項４０】
前記方法が、前記同調された周波数で前記アクセスネットワークからページを受信することをさらに含む、請求項39のコンピュータ読み込み可能な媒体。
【請求項４１】
前記方法が、前記第2のブロードキャストチャンネルが前記第2のブロードキャストチャンネルの前記登録に続く第3の期間に選択されたままであることを確認することと、前記第3の期間の終わりに応答して前記アクセスネットワークに対して前記第2のブロードキャストチャンネルを再登録することとをさらに含む、請求項38のコンピュータ読み込み可能な媒体。
【請求項４２】
前記方法が、前記第2のブロードキャストのチャンネルを受信するために第1の周波数に同調させることと、前記アクセスネットワークに対して前記第2のブロードキャストチャンネルを登録せよという前記要求の発生に続く第3の期間に第2のブロードキャストチャンネル非選択を受信することと、第3のブロードキャストチャンネル選択を受信することと、前記第3のブロードキャストチャンネルを受信するために第2の周波数に同調させることとをさらに含む、請求項38のコンピュータ読み込み可能な媒体。
【請求項４３】
前記方法が、前記第3の期間が終わる前に前記第1と第2の周波数の両方で前記アクセスネットワークからページを受信することをさらに含む、請求項42のコンピュータ読み込み可能な媒体。
【請求項４４】
前記方法が、前記第3の期間が終わった後に前記第2の周波数で前記アクセスネットワークからページを受信することをさらに含む、請求項42のコンピュータ読み込み可能な媒体。
【請求項４５】
前記方法が、前記ブロードキャストチャンネルの前記登録要求に続く第3の期間に第2のブロードキャストチャンネル非選択を受信することと、前記第3の期間に第2のブロードキャストチャンネル再選択を受信することと、前記ブロードキャストチャンネルの再選択に続く第4の期間の終わりに応答して前記アクセスネットワークに対して前記第2のブロードキャストチャンネルを登録せよという第2の要求を発生させることとをさらに含む、請求項38のコンピュータ読み込み可能な媒体。
【請求項４６】
前記登録要求が、前記第2のブロードキャストチャンネルを識別する情報を含む、請求項38のコンピュータ読み込み可能な媒体。
【請求項４７】
前記登録要求が、前記第1のブロードキャストチャンネルを識別する情報をさらに含む、請求項46のコンピュータ読み込み可能な媒体。
【請求項４８】
入力装置と、
前記入力装置からのブロードキャストチャンネル選択に応答してある期間を発生させる手段と、
第2のブロードキャストチャンネル選択を受信する前に前記期間が終わるならば、前記ブロードキャストチャンネルを登録せよという要求を発生させる手段と、
前記要求をアクセスネットワークに送信する手段と
を含む、ブロードキャスト通信システムにおける登録のための装置。
【請求項４９】
前記ブロードキャストチャンネル選択を受信するためにある周波数に同調させる手段をさらに含む、請求項48の装置。
【請求項５０】
前記周波数で前記アクセスネットワークからのページを処理する手段をさらに含む、請求項49の装置。
【請求項５１】
前記第1の期間の終わりに応答して第2の期間を発生させる手段と、前記入力装置からの第2のブロードキャストチャンネル選択を受信する前に前記第2の期間が終わるならば、前記ブロードキャストチャンネルを登録せよという第2の要求を発生させる手段と、前記第2の要求を前記アクセスネットワークへ送信する手段とをさらに含む、請求項48の装置。
【請求項５２】
前記第2の期間が終わる前に前記入力装置からの第2のチャンネル選択に応答して第3の期間を発生させる手段と、前記入力装置からの第3のブロードキャストチャンネル選択を受信する前に前記第3の期間が終わるならば、前記第2のブロードキャストチャンネルを登録せよという要求を発生させる手段と、前記第2のブロードキャストチャンネルを登録せよという前記要求を前記アクセスネットワークに送信する手段とをさらに含む、請求項51の装置。
【請求項５３】
前記入力装置からの前記ブロードキャストチャンネルの再選択に応答して第4の期間を発生させる手段と、前記入力装置からの第3のブロードキャストチャンネル選択を受信する前に前記第4の期間が終わるならば、前記ブロードキャストチャンネルを登録せよという第2の要求を発生させる手段と、前記第2の要求を前記アクセスネットワークへ送信する手段とをさらに含む、請求項52の装置。
【請求項５４】
前記プロセッサにより発生された前記登録要求が、前の登録要求に続いて、前記入力装置により選択された前記ブロードキャストチャンネルの各々に関連する情報を含む、請求項48の装置。
【発明の詳細な説明】
【技術分野】
【０００１】
本発明は一般にブロードキャスト通信システムに係り、なお特に、ブロードキャスト通信システムにおける登録のためのシステムと技術に関連する。
【背景技術】
【０００２】
無線は多重無線装置を結合するために自由空間を通して伝播される電磁波を使用して通信のシステムに関連している。無線は無線送信器から無線受信器を有するだれへも商業ブロードキャストを送る公共の媒体として一般的に使用され、しばしばポイントツーマルチポイント媒体と呼ばれる。しかしながら、無線はまたポイントツーポイント媒体上で2人以上のユーザ間の個人的な通信に使用することができる。無線電話はポイントツーポイント通信をサポートするように構成された無線トランシーバーの共通の例である。
【０００３】
様々なインフラストラクチャがポイントツーポイント通信をサポートするために数年に亘って開発された。例えば、セル通信では、基地局コントローラはネットワークと地理的な領域の中で分散されるすべての基地局との間で音声とデータ通信をサポートするためにしばしば使用される。地理的な領域はセルとして知られているカバー領域に通常分割される。一般に基地局は、そのセル領域のすべての加入者局に役立つように割り当てられる。いくつかの高いトラフィック領域では、セル領域がセクターに分割され、1つの基地局が各セクターに役立っているかもしれない。無線加入者局上のユーザは、1つ以上の基地局を通してネットワークにアクセスするか、または別の無線加入者局と通信するこができる。
【発明の開示】
【発明が解決しようとする課題】
【０００４】
セルラ技術における最近の進歩によって、ブロードキャストサービスに既存のポイントツーポイントセルラ方式を利用することに関心があった。既存のセルラ方式への商業ブロードキャストの付加はセルラユーザに現在提供されているそれらのサービスとブロードキャストサービスの統合を必要とする。加入者局はブロードキャストモードとポイントツーポイント通信モードの両方で機能することができる必要がある。
【課題を解決するための手段】
【０００５】
本発明の1つの態様では、通信の方法は、ブロードキャストチャンネルを選択し、ブロードキャストチャンネルの選択に続く期間、ブロードキャストチャンネルが選択されたままであることを確認し、期間の終わりに応答してアクセスネットワークに対してブロードキャストチャンネルを登録することを含む。
【０００６】
本発明の別の態様では、通信の方法は、第1のブロードキャストチャンネルを選択し、第1のブロードキャストチャンネル選択に応答して第1の期間を確立し、第1の期間の終わりの前に第１のブロードキャストチャンネルを非選択することにより第１のブロードキャストチャンネルがアクセスネットワークに対して登録されることを防止し、第2のブロードキャストチャンネルを選択し、第2のブロードキャストチャンネルの選択に続く第2の期間、第2のブロードキャストチャンネルが選択されたままであることを確認し、第2の期間の終わりにアクセスネットワークに対して第2のブロードキャストチャンネル登録することを含む。
【０００７】
本発明の別の態様では、装置は、入力装置と、入力装置からのブロードキャストチャンネル選択に応答するタイマを有するプロセッサとを含み、プロセッサは入力装置から第2のブロードキャストチャンネル選択を受信する前にタイマが期間満了になるならば、ブロードキャストチャンネルを登録せよという要求を発生させるように構成され、アナログのフロントエンドはアクセスネットワークに要求を送信するように構成される。
【０００８】
本発明のさらなる態様において、コンピュータプログラムにより実行可能な指示のプログラムを具体化するコンピュータ読み込み可能な媒体が通信の方法を実行し、その方法は、ブロードキャストチャンネル選択を受信し、ブロードキャストチャンネルの選択に続く期間、ブロードキャストチャンネルが選択されたままであることを確認し、期間の終わりに応答してアクセスネットワークに対してブロードキャストチャンネルを登録せよという要求を発生させることを含む。
【０００９】
本発明のさらなる態様では、コンピュータプログラムにより実行可能な指示のプログラムを具体化するコンピュータ読み込み可能な媒体が通信の方法を実行し、その方法は、第1のブロードキャストチャンネル選択を受信し、第1のブロードキャストチャンネル選択に応答して第1の期間を確立し、第1の期間の終わりの前に第1のブロードキャストチャンネル非選択に応答してアクセスネットワークに対して第1のブロードキャストチャンネルを登録せよという要求の発生を防止し、第2のブロードキャストチャンネル選択を受信し、第2のブロードキャストチャンネルの選択に続く第2の期間、第2のブロードキャストチャンネルが選択されたままであることを確認し、第2の期間の終わりにアクセスネットワークに対して第2のブロードキャストチャンネルを登録せよという要求を発生させることを含む。
【００１０】
本発明の別の態様では、装置は、入力装置と、入力装置からのブロードキャストチャンネル選択に応答して期間を発生させる手段と、第2のブロードキャストチャンネル選択を受信する前に期間が終わるならブロードキャストチャンネルを登録せよという要求を発生させる手段と、アクセスネットワークに要求を送信する手段とを含む。
【００１１】
本発明の他の実施例が、図解の方法により発明の模範的実施例のみを示しかつ説明する以下の詳細な記述によって技術に熟練した者に容易に明らかになることが理解される。はっきり理解されるように、発明は他の異なった実施例が可能であり、そのいくつかの詳細は本発明の精神および範囲から逸脱することなく、他の様々な点で変更が可能である。従って、図面と詳細な記述は事実上説明に役立ものとして、かつ限定としてではなく見なされるべきである。
【００１２】
本発明の態様が、添付の図面によって限定の方法でではなく、例の方法で説明される。
【発明を実施するための最良の形態】
【００１３】
添付図面と関連して以下に示された詳細な説明は、本発明の模範的実施例の記述として意図され、本発明が実施されうる唯一の実施例を表わすことを意図しない。この記述をとおして使用される“模範的”の用語は“例として役立つ、実例、または例証”を意味し、他の実施例より好ましいまたは有利であるとして解釈されるべきであるというわけではない。詳細な記述は本発明の徹底的な理解を提供する目的の特定の詳細を含んでいる。しかしながら、本発明がこれらの特定の詳細なしで実施されることは技術に熟練した者に明らかになるだろう。いくつかの例では、本発明の概念をあいまいにすることを避けるために、周知の構造と装置がブロックダイアグラムの形で示される。
【００１４】
図1は既存の無線セルラインフラストラクチャ上で高速ブロードキャストサービスを提供することができる模範的通信システム100の概念的なブロックダイアグラムである(なお、図１における「放送」の語は、明細書における「ブロードキャスト」と同義である。以下の図において同じ)。既存の無線セルラインフラストラクチャは、無線の加入者局102のユーザがアクセスネットワーク104を通して他の無線の加入者局と通信することを許容する。アクセスネットワーク104は基地局106の集合と１つ以上の基地局コントローラ(BSC)108とを含んでいる。アクセスネットワーク104は、ブロードキャストネットワーク110などのアクセスネットワークの外の追加ネットワークに関連づけられ、それぞれの加入者局102とブロードキャストネットワーク110との間でデータパケットを輸送するかもしれない。ブロードキャストネットワークは1つ以上のコンテンツサーバ112を含むかもしれない。代わりに、コンテンツサーバ112はブロードキャストネットワーク110の外に位置することができる。とにかく、コンテンツサーバ112は、例えばCBS、NBC、ABC、FOX、ESPNなどの１つ以上のブロードキャストチャンネルからのプログラミングを含んでいるデータパケットを発生する。
【００１５】
模範的通信システム100は、多くの加入者局102により受信されることができる高いデータレートを可能にする順方向ブロードキャスト共有チャンネル(F-BSCH)114を導入することにより、高速ブロードキャストサービスを可能にする。F-BSCH 114は固定された搬送周波数で１つ以上のブロードキャストチャンネルを運ぶ順方向リンク“物理的”チャンネルである。ブロードキャストチャンネルは、それらが各データパケットに添付されたブロードキャストチャンネル識別子により別のものから区別されるので、順方向リンク“論理的”チャンネルとして参照される。理論上、単一のF-BSCHが加入者局102へすべてのブロードキャストチャンネルを配達するために使用することができる。しかしながら、実際問題として、すべてのブロードキャストチャンネルを扱うために単一のF-BSCHの使用は主に帯域幅制限のため非常に実行可能ではない。従って、ブロードキャストチャンネルはそれぞれ異なった搬送周波数を有する多重F-BSCHの中に割り当てられるべきである。
【００１６】
ポイントツーポイント通信をサポートするために、ページングチャンネルがそれぞれのF-BSCH搬送周波数に割当てられるべきである。ページングチャンネルは呼が到着するとき加入者局をページするため基地局により使用されることができる。ページチャンネルを各F-BSCH搬送周波数に割当てることによって、ユーザはユーザが選んだどのブロードキャストチャンネルにもかかわらずページをいつも受信することができる。基地局が適切な搬送周波数に加入者局をページすることを確実にするため、登録手順が使用されることができる。任意の与えられたアプリケーションのために特定の設計パラメタに依存する様々な方法で登録手順を実行することができる。例えば、ユーザが異なったブロードキャストチャンネルを選択するときはいつもアクセスネットワークに対して登録するように加入者局を構成することができる。この登録手順は、呼が到着するとき、基地局が加入者局を見つけることができるどの周波数かを知るメカニズムを提供するだろう。
【００１７】
図2は図1の模範的通信システムの加入者局と通信する基地局の機能的なブロックダイアグラムである。ブロードキャストモードでは、BSC(示されない)からのデータパケットはバックホール（backhaul）を通してプロセッサ202により受け取られる。プロセッサ202はデータパケットのコード化と変調、およびアナログ信号への変換などの様々な信号処理機能を提供することができる。アナログ信号はアナログフロントエンド(AFE)204に供給され、そこでそれは加入者局102へ伝送するために適切な搬送周波数へ上昇変換される。AFE 204はまた、アンテナ206を通してF-BSCH上に送信の前にフィルタリングと増幅を提供される。
【００１８】
加入者局102では、ブロードキャストはアンテナ208によって受信され、AFE 210に提供される。AFE 210は1つの物理的なチャンネル、即ち、F-BSCHを選択するチューナを含んでいる。また、AFEは選択されたF-BSCHを増幅し、フィルターにかけベースバンド信号に下降変換する。ベースバンド信号はプロセッサ212に結合され、ブロードキャスト内容を回復するために基地局106で実行された処理機能の逆、特に復調と復号化を提供される。そして、ブロードキャスト内容は表示214を通してユーザに提供することができる。キーパッドや同様のものなどのユーザ入力装置216がブロードキャストチャンネルを選択するために使用することができる。ユーザ入力装置216はプロセッサ212に接続され、ユーザによって選択された論理的なブロードキャストチャンネルがアクセスネットワークに対してブロードキャストチャンネルを登録するための登録要求218を発生させるように使用することができる。後でより詳細に説明されるように、監視タイマ220と多くの登録タイマ222が登録要求の発生を制御するために使用されることができる。ユーザによって選択された論理的なブロードキャストチャンネルはまた、プロセッサ212によってそれらの物理的なチャンネル、すなわちF-BSCHにマップされることができる。プロセッサ212によって実行されるマッピング機能に基づいて、チューナがユーザによって選択されたブロードキャストチャンネルを受信するように適切な周波数に設定することができる。
【００１９】
さまざまな方法で登録手順を実行することができる。説明された模範的実施例では、加入者局プロセッサは加入者局のユーザによって加入されたそれぞれのブロードキャストチャンネルのために登録タイマを維持する。電力が初めに加入者局に適用されるとき、加入者局プロセッサはそれぞれのブロードキャストチャンネルのために登録タイマをリセットする。そして加入者局プロセッサは、ポイントツーポイント通信のための手順または技術で知られている任意の他の手順を通常寄せ集めて使用して、アクセスネットワークに対して登録のためにチューナを指定された周波数に設定する。ユーザがコンテンツサーバからブロードキャストサービスを受信するためにブロードキャストチャンネルを選択するとき、加入者局プロセッサはアクセスネットワークに対して選択されたブロードキャストチャンネルを登録して、そのブロードキャストチャンネルのために登録タイマを始動する。登録の処理は加入者局からアクセスネットワークへ登録要求を送信することを含む。登録要求は加入者局プロセッサで発生され、ユーザによって選択されたブロードキャストチャンネルを含んでいる。登録タイマが期間満了になるときブロードキャストチャンネルが選択されたままであるなら、加入者局プロセッサはアクセスネットワークに対して選択されたブロードキャストがチャンネルを再登録し、選択されたブロードキャストチャンネルのために登録タイマを再始動する。ユーザが異なるブロードキャストチャンネルを選択しとき、加入者局プロセッサはアクセスネットワークに対して新しいブロードキャストチャンネルを登録して、そのブロードキャストチャンネルのために登録タイマを始動する。
【００２０】
加入者局のユーザにより加入された各ブロードキャストチャンネルのための別々の登録タイマと同様に、基地局プロセッサは加入者局ために“ページングセット”を維持する。電力上昇登録を受信すると、加入者局のためのページングセットはポイントツーポイント通信のために指定されたページングチャンネルの周波数を含むように初期化される。基地局プロセッサが加入者局からブロードキャストチャンネルを登録せよという要求を受信するとき、基地局プロセッサはブロードキャストチャンネルをページングセットに加え、そのブロードキャストチャンネルのために登録タイマを始動する。登録タイマは加入者局からのその後の登録要求によって再起動されることができる。登録タイマが期間満了になるならば、基地局プロセッサはページングセットからブロードキャストチャンネルを取り除く。
【００２１】
加入者局への入来呼があるとき、ページングセットにおける各ブロードキャストチャンネルのために搬送周波数を決定するため、基地局プロセッサは物理的なチャンネル、すなわち、F-BSCHSにページングセットの内容をマップする。そして、基地局は、ポイントツーポイント通信のためにページングチャンネルについて指定された周波数と同様に、それぞれの搬送周波数上でページングメッセージを加入者局に送る。活動的な登録タイマで1つ以上のブロードキャストチャンネルを運んでいるすべての周波数のページングメッセージを送ることにより、入来呼が到着する近くまたは大よその時間にユーザが多重ブロードキャストチャンネルを切り換えているとき、ページを逃す機会は減少される。
【００２２】
加入者局の登録タイマは基地局の応答する登録タイマに同期されるべきであるか、または基地局の登録タイマは加入者局のそれらの応答する登録タイマの前に期間満了になるべきでない。基地局の登録タイマが加入者局の応答する登録タイマの前に期間満了になるならば、基地局はページングセットからブロードキャストチャンネルを早まって取り除くかもしれず、一方加入者局はそのブロードキャストチャンネルに残ったままである。
【００２３】
選択するブロードキャストチャンネルがどれかを決める前に、ユーザがブロードキャストチャンネルを通してブラウズするとき、アクセスネットワークに頻繁な登録要求を送るのを避けるために監視タイマを使用することができる。ユーザがブロードキャストチャンネルを選択するとき、監視タイマを起動することができ、監視タイマが期間満了になるまで、そのブロードキャストチャンネルの登録を遅らせることができる。監視タイマは各ブロードキャストチャンネル選択に応答する単一の再起動可能なタイマで実施することができる。この構成では、監視タイマはユーザがブロードキャストチャンネルをブラウズするとき絶えず再起動され、ユーザが予定された期間１つのブロードキャストチャンネル上に留まるまで期間満了しない。代わりに、監視タイマはそれぞれのブロードキャストチャンネルのために別々のタイマで実施することができる。この構成では、そのそれぞれのタイマが期間満了になるとき、ブロードキャストチャンネルが選択されたままである場合だけ、ブロードキャストチャンネルはアクセスネットワークに対して登録されるであろう。とにかく、いったんブロードキャストチャンネルが監視タイマによって設定された期間選択されたままであるなら、登録要求をアクセスネットワークに送ることができ、そのブロードキャストチャンネルのための登録タイマを始動することができる。ユーザが非選択でありかつ登録タイマが活動的である間ブロードキャストチャンネルに戻るならば、監視タイマはそれにもかかわらず始動されるべきである。登録タイマが期間満了になるとき、監視タイマが活動的であるならば、監視タイマが期間満了になるまで、ブロードキャストチャンネルの登録は遅らされるべきである。言い換えれば、監視タイマがその登録タイマの状態にかかわらず期間満了になるまで、ブロードキャストチャンネルはアクセスネットワークに対して登録されるべきでない。
【００２４】
監視タイマと登録タイマの期間は固定することができ、代わりに、基地局により加入者局に送信された配置可能なパラメタであることができる。監視タイマと登録タイマのための期間はユーザ振舞い統計、送信されるブロードキャストチャンネルの数、ネットワーク負荷、または技術に熟練した者に知られているいずれかの他の関連パラメタに基づいて選択されるかもしれない。監視タイマのための期間は登録タイマの期間よりも短くすべきである。監視タイマのための期間は、遅れた登録のため逃されたページの危険を最小にするために比較的短くすべきである。他方、登録タイマのための期間は、登録のための帯域幅要求を減少するために比較的長くすべきである。しかしながら、技術に熟練した者が認識するように、監視タイマの期間は登録タイマの期間より必ず短い必要はなく、監視タイマと登録タイマの間の実際の相対的な期間は、特定のアプリケーションと総合的な設計束縛に依存してどんな値にも設定され得る。
【００２５】
前に示されたように、登録要求はユーザによって選択されるブロードキャストチャンネルを含んでいる。この情報は、ページングセットを維持するために基地局によって必要とされる。しかしながら、他の関連する情報もまた役に立つかもしれない。例えば、最終的な選択をする前にユーザがブラウズする特定のブロードキャストチャンネルは、今後のプログラミングを改良するのに役に立つ情報をコンテンツサーバに提供するかもしれない。しかしながら、加入者局が、ユーザが単にブラウズするブロードキャストチャンネルの登録を防止する監視タイマを使用するならば、この情報は容易に利用可能でないかもしれない。従って、加入者局の少なくとも一実施例では、プロセッサはブロードキャストチャンネルが選択されたままの時間の長さにかかわらずユーザによってされた各選択を記憶するメモリを含んでいる。いったんブロードキャストチャンネルが監視タイマを期間満了にするに十分な期間選択されたままであると、最後の登録要求以来ユーザにより選択されたすべてのブロードキャストチャンネルを用いて登録要求がアクセスネットワークに送信されることができる。ブロードキャストチャンネルがページングセットに加えられるべきであるかどうか、またはブロードキャストチャンネルが統計的な目的だけのために提供されているかどうかを示すために、登録要求はそれぞれのブロードキャストチャンネルに添付される1ビット以上を使用することができる。登録要求からの情報は基地局で抽出されてアクセスネットワークを通してコンテンツサーバに輸送されることができる。コンテンツサーバはシステムを評価し、ユーザに請求書を送り、ユーザの振舞いを追跡する作成のために情報を使用することができる。
【００２６】
代わりに、コンテンツサーバは、あるブロードキャストチャンネルだけがモニターされることを要求している加入者局に送られるメッセージを用いて、加入者局によって提供された情報の内容を制御することができる。コンテンツサーバがブロードキャストチャンネル追跡機能に活発に参加している通信システムでは、コンテンツサーバからの問合せに応答して登録要求または別々の専用チャンネルで加入者局から情報を送ることができる。
【００２７】
図3は加入者局プロセッサによって実施されることができる模範的登録アルゴリズムを例証するフローチャートである。模範的登録アルゴリズムは加入者局プロセッサで動いている通信ソフトウェアで実行することができる。加入者局プロセッサは汎用のプロセッサまたはディジタル信号プロセッサ(DSP)であるかもしれない。代わりに、登録アルゴリズムは、特定用途向け集積回路(ASIC)であるプロセッサ、フィールドプログラマブルゲートアレイ(FPGA)または他のプログラマブル論理デバイス、離散的なゲートまたはトランジスタ論理、離散的なハードウェア部品、またはそれらのあらゆる組み合わせで実施されることができる。
【００２８】
図3に戻って、加入者局プロセッサはステップ302でポイントツーポイント通信のために基地局に対して登録する。そして、ユーザはステップ304でコンテンツサーバからブロードキャストサービスを受信するためブロードキャストチャンネルを選択する。応答として、加入者局プロセッサはステップ306で監視タイマを始動し、監視タイマがステップ308で活動的である間他のブロードキャストチャンネル選択についてユーザ入力装置をモニターする。監視タイマが期間満了(図3の３０８における「期限満了」は「期間満了」と同義)になる前に加入者局プロセッサが新しいブロードキャストチャンネル選択を検出するならば、加入者局プロセッサはステップ312で監視タイマを再始動し、さらなるブロードキャストチャンネル選択のためにユーザ入力装置をモニターするステップ308にループを戻す。監視タイマが期間満了になるとき、ブロードキャストチャンネルが選択されたままであるならば、加入者局プロセッサはステップ314でアクセスネットワークに対してブロードキャストチャンネルを登録して、ステップ316で登録タイマを始動して、登録タイマがステップ318で活動的である間新しいブロードキャストチャンネル選択のためにユーザ入力装置をモニターする。登録タイマが期間満了になる前に新しいブロードキャストチャンネルが選択されるならば、加入者局プロセッサは監視タイマを再始動するためにステップ306にループを戻す。登録タイマが期間満了になるとき、ブロードキャストチャンネルが選択されたままであるならば、加入者局プロセッサはアクセスネットワークに対してブロードキャストチャンネルを再登録するためステップ314にループを戻し、かつ登録タイマを再始動するためにステップ316にループを戻す。
【００２９】
登録アルゴリズムのために上で説明されたステップのシーケンスは例としてであり、限定としてではない。技術に熟練した者はある一定のステップを順不同に実行するか、または実際の実施において平行に実行することができることを認識するであろう。そのうえ、1つ以上のステップが技術で知られている他の方法と処理で省略されるか、または結合されるかもしれない。
【００３０】
図4は図3に関して説明された登録アルゴリズムを使用して加入者局とアクセスネットワークの間で模範的登録シナリオを例証するタイミングダイヤグラムである。タイミングダイヤグラムは“時間”に関する水平軸、および下に物理的チャンネルの“搬送周波数”割り当て、上に様々なタイマの状態を示す垂直軸を含んでいる。例証目的のために、ポイントツーポイント通信のためのページングチャンネルがf３として表わされるであろう。2つの物理的なチャンネル、即ち、コンテンツプロバイダーからブロードキャストサービスを運んでいるF-BSCHが、ｆ１とｆ２として表わされる周波数割当てを持つであろう。物理的なチャンネルの１つは単一の論理的なブロードキャストチャンネルCH３を運び、他の物理的なチャンネルは2つの論理的なブロードキャストチャンネルCH１およびCH２を運ぶ。
【００３１】
時間ｔ１で電力が加入者局に適用される。加入者局プロセッサは技術で知られているいずれかの手順を用いてポイントツーポイント通信のためにチューナ周波数をf３に設定して、監視タイマと登録タイマをリセットし、基地局に対して登録する。基地局は搬送周波数f３を含むように加入者局のページングセットを初期化する。
【００３２】
時間t２のときに、ユーザはユーザ入力装置でブロードキャストチャンネルの1つCH１を選択する。加入者局プロセッサはチューナ周波数をf１に設定して、監視タイマを始動する。
時間t３のときに、監視タイマは期間満了になる。加入者局プロセッサはブロードキャストチャンネルCH１のために登録タイマを始動して、ブロードキャストチャンネルCH１を登録せよという要求をアクセスネットワークに送信する。登録要求に応答して、基地局はブロードキャストチャンネルCH１をページングセットに加え、ブロードキャストチャンネルCH１のためにその登録タイマを始動する。この時点でページングセットは｛CH１，f３｝を含む。
【００３３】
時間t４で、ユーザはユーザ入力装置で別のブロードキャストチャンネルCH２を選択する。加入者局プロセッサは監視タイマを始動する。
時間t５のときに、監視タイマの期間満了の前に、ユーザはユーザ入力装置で別のブロードキャストチャンネルCH３を選択する。加入者局プロセッサはチューナ周波数をf2に設定し、監視タイマを再始動する。
【００３４】
時間t６で、ブロードキャストチャンネルCH１のための登録タイマは期間満了になる。ユーザが異なったブロードキャストチャンネルを選択したので、加入者局はブロードキャストチャンネルCH１のために登録要求をアクセスネットワークに送らないので、その結果、ブロードキャストチャンネルCH１のための基地局の登録タイマは、基地局にページングセットからブロードキャストチャンネルCH１を取除かせるように期間満了するであろう。この時点で、ページングセットは{f３}を含んでいる。
【００３５】
T７では、監視タイマが期間満了になる。加入者局プロセッサはブロードキャストチャンネルCH３のために登録タイマを始動して、ブロードキャストチャンネルCH３を登録せよという要求をアクセスネットワークに送信する。登録要求に応答して、基地局はページングへセットにブロードキャストチャンネルCH３を加え、ブロードキャストチャンネルCH３のためにその登録タイマを始動する。この時点で、ページングセットは{CH３，f３}を含んでいる。
【００３６】
時間t８のときに、ブロードキャストチャンネルCH３のための登録タイマは期間満了になる。同じブロードキャストチャンネルCH３がユーザによってまだ選択されているので、加入者局プロセッサはブロードキャストチャンネルCH３を登録せよという別の要求をアクセスネットワークに送って、ブロードキャストチャンネルCH３のために登録タイマを再始動する。基地局は登録要求に応答してページングセットにブロードキャストチャンネルCH３を保持するだろう。
【００３７】
時間t９で、ユーザはユーザ入力装置でブロードキャストチャンネルCH２を再選択する。加入者局プロセッサはチューナ周波数をf１に設定して、監視タイマを再始動する。
時間t１０で、監視タイマは期間満了になる。加入者局プロセッサはブロードキャストチャンネルCH２のために登録タイマを始動して、ブロードキャストチャンネルCH２を登録せよという要求をアクセスネットワークに送信する。登録要求に応答して、基地局はブロードキャストチャンネルCH２をページングセットに加え、ブロードキャストチャンネルCH２のためにその登録タイマを始動する。この時点でページングセットは{CH２，CH３，f３}を含んでいる。
【００３８】
時間t１１で、ブロードキャストチャンネルCH３のための登録タイマは期間満了になる。ユーザが異なったブロードキャストチャンネルを選択したので、加入者局はブロードキャストチャンネルCH3のために登録要求をアクセスネットワークに送らない、その結果、ブロードキャストチャンネルCH３のための基地局における登録タイマは、基地局にページングセットからブロードキャストチャンネルCH３を取除かせるように期間満了するであろう。この時点で、ページングセットは{CH２，f３}を含んでいる。
【００３９】
時間t１２で、ユーザはユーザ入力装置でブロードキャストチャンネルCH３を再選択する。加入者局プロセッサは監視タイマを始動する。
時間t１３で、監視タイマの期間満了の前に、ユーザはユーザ入力装置でブロードキャストチャンネルCH２を再選択する。加入者局プロセッサは監視タイマを再始動する。
【００４０】
時間t１４で、ブロードキャストチャンネルCH２のための登録タイマは期間満了になる。しかしながら、監視タイマが期間満了でないので、加入者局プロセッサは登録要求をアクセスネットワークに送信せず、加入者局プロセッサはブロードキャストチャンネルCH２のための登録タイマを再始動しない。その結果、ブロードキャストチャンネルCH２のための基地局における登録タイマは、基地局にページングセットからブロードキャストチャンネルCH２を取除かせるように期間満了する。この時点でページングセットは{f３}を含んでいる。
【００４１】
時間t１５で、監視タイマは期間満了になる。加入者局プロセッサはブロードキャストチャンネルCH２のために登録タイマを再始動して、ブロードキャストチャンネルCH２を登録せよという要求をアクセスネットワークに送信する。登録要求に応答して、基地局はページングセットにブロードキャストチャンネルCH２を加え戻し、ブロードキャストチャンネルCH２のためにその登録タイマを再始動する。この時点でページングセットは｛CH２，f3｝を含んでいる。
【００４２】
時間t１６で、加入者局への呼が基地局に到着する。基地局は通信システムによってサポートされた物理的なチャンネルにページングセットに含まれた論理的なブロードキャストチャンネルをマップする。マッピング機能はブロードキャストチャンネルCH２のための搬送周波数f１に帰着する。結果として、基地局は搬送周波数f１とf３によって加入者局にページを送る。加入者局プロセッサは搬送周波数f１によってページを受信し、応答でチューナ周波数をf３に設定し、ポイントツーポイント通信モードにおける呼パラメタを交渉する。加入者局と基地局の登録タイマはこの時にリセットされることができ、代わりに、期間満了することを許容される。どちらにしても、基地局の登録タイマがいったんリセット(または期間満了)されると、基地局は加入者局からの新しい登録要求がないときページングセットからブロードキャストチャンネルCH２を取除くであろう。
【００４３】
ここで開示された実施例に関連して記述された様々な例示の論理的ブロック、モジュール、回路、及びアルゴリズムステップは電子ハードウェア、コンピュータソフトウェア、または双方の組合せとして実施できることを当業者は理解するであろう。このハードウェア及びソフトウェアの互換性を明瞭に示すために、様々な例示部品、ブロック、モジュール、回路、及びステップがそれらの機能性に関して一般に上で記述されてきた。そのような機能性がハードウェアまたはソフトウェアとして実施されるかどうかは全体のシステムに課せられた特定の応用及び設計の制約に依存する。熟練技術者は特定の各応用について種々の方法で記述された機能性を実施できるであろうが、そのような実施の決定は本発明の範囲から逸脱するものと解釈されるべきではない。
【００４４】
ここに開示された実施例に関連して記述された様々な例示の論理的ブロック、モジュール、及び回路は一般用途プロセッサ、ディジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、個別ゲートまたはトランジスタ論理、個別ハードウェア部品、またはここに記述された機能を実行するために設計されたそのあらゆる組合せによって実施、或いは実行される。一般用途プロセッサはマイクロプロセッサでもよいが、これの代りでは、そのプロセッサはあらゆる従来のプロセッサ、コントローラ、マイクロコントローラ、または状態機械でもよい。プロセッサはまた計算デバイスの組合せ、例えば、ＤＳＰとマイクロプロセッサの組合せ、複数のマイクロプロセッサ、ＤＳＰコアと接続した１つ以上のマイクロプロセッサ、またはそのようなあらゆる他の構成として実施される。
【００４５】
ここに開示された実施例に関連して記述された方法またはアルゴリズムのステップは直接ハードウェアにおいて、プロセッサによって実行されるソフトウェアモジュールにおいて、或いは２つの組合せにおいて組込まれる。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、交換可能ディスク、ＣＤ−ＲＯＭ、または当技術分野において既知の他の型式の記憶媒体に存在してもよい。典型的な記憶媒体はプロセッサが記憶媒体から情報を読取り、記憶媒体に情報を書込むことができるようにプロセッサに接続される。それに代るものでは、記憶媒体はプロセッサに一体化してもよい。プロセッサ及び記憶媒体はＡＳＩＣに存在してもよい。ＡＳＩＣはユーザー端末に存在してもよい。それに代るものでは、プロセッサ及び記憶媒体はユーザー端末中に個別部品として存在してもよい。
【００４６】
開示された実施例の先の記述は当業者が本発明を行い、或いは使用することを可能にするために提供される。これらの実施例への様々な変更は当業者には直ちに明白であり、ここに定義された一般原理は本発明の精神または範囲から逸脱することなく他の実施例に適用できる。したがって、本発明はここに示された実施例に限定されることを意図せず、ここに開示された原理及び新規な特徴と両立する最も広い範囲を与えられるべきである。
【図面の簡単な説明】
【００４７】
【図１】既存の無線のセルラインフラストラクチャ上の高速ブロードキャストサービスをサポートしている模範的通信システムの概念的なブロックダイアグラムである。
【図２】図1の模範的通信システムの基地局と通信する加入者局の機能的なブロックダイアグラムである。
【図３】図2の加入者局に存在するプロセッサによって実行される模範的登録アルゴリズムを例証するフローチャートである。
【図４】図3に関して説明された登録アルゴリズムを使用している加入者局とアクセスネットワークとの間の模範的登録シナリオを例証するタイミングダイヤグラムである。
【図１】
0004563805.tif 000002
【図２】
0004563805.tif 000003
【図３】
0004563805.tif 000004
【図４】
0004563805.tif 000005